(57)【要約】【課題】充電完了や故障等の充電に関する情報をユーザーに正確且つ詳細に伝えるとともに、間違いや盗難を確実に防ぐことができる発声機能付充電器を提供すること。【解決手段】着脱可能な電池パック２４を装着するための電池装着部を外枠に設け、前記電池パック２４に設けられた正極、負極の各端子とそれぞれ接触する正極端子、負極端子が電気的に接続され、充電電流を一定に保ったり、満充電を検出して充電を停止する等の充電制御を行う充電制御回路１９を搭載した基板組立を前記外枠に収納して成る充電器において、予め製造者が登録した所定の音声信号を充電停止時等の所定の時期に出力する発声機能回路８を前記充電制御回路１９に付加するとともに、該発声機能回路８から音声信号を出力するスピーカー等の音声出力器７を前記外枠に取り付ける。【選択図】図３
2006149006.tif 000002
【特許請求の範囲】
【請求項１】
着脱可能な電池パックを装着するための電池装着部を外枠に設け、前記電池パックに設けられた正極、負極の各端子とそれぞれ接触する正極端子、負極端子が電気的に接続され、充電電流を一定に保ったり、満充電を検出して充電を停止する等の充電制御を行う充電制御回路を搭載した基板組立を前記外枠に収納して成る充電器において、
予め製造者が登録した所定の音声信号を充電停止時等の所定の時期に出力する発声機能回路を前記充電制御回路に付加するとともに、該発声機能回路から音声信号を出力するスピーカー等の音声出力器を前記外枠に取り付けたことを特徴とする発声機能付充電器。
【請求項２】
マイク等の音声を取り込む音声取込器を前記外枠に取り付け、ユーザーが好みの音声を該音声取込器から録音して任意の時期に出力することができる機能を前記発声機能回路に付加したことを特徴とする請求項１記載の発声機能付充電器。
【請求項３】
前記発声機能回路にタイマー等の時間設定器を設け、ユーザーが音声出力時期を任意に時間設定できるようにしたことを特徴とする請求項２記載の発声機能付充電器。
【請求項４】
前記発声機能回路から出力される音声信号を任意の音量に調整するための音量調節器を設けたことを特徴とする請求項１記載の発声機能付充電器。
【発明の詳細な説明】
【技術分野】
【０００１】
本発明は、ユーザーに充電に関する情報の他、各種情報を音声により伝達する機能を備える発声機能付充電器に関するものである。
【背景技術】
【０００２】
従来の充電器を図４〜図６に基づいて以下に説明する。
【０００３】
図４は従来の充電器の上面図、図５は同充電器の側断面図、図６は同充電器の回路構成図であり、図示の充電器１においては、電池パック２４を装着する電池装着部５を有する上外枠３と下外枠４内に基板組立２が収納されており、該基板組立２には、充電回路を構成する各種制御を行うマイコン１７、充電電流を検出するシャント抵抗等の電流検出部１８、充電電流を一定に保つ充電電流制御回路１９とＦＥＴ等の半導体２０が搭載されるている。又、この基板組立２には、前記電池パック２４の正極端子２５、負極端子２６及び該電池パック２４に内蔵されたサーミスタ等の電池セル温度検出素子２８と接続された電池温度検出端子２７とそれぞれ接触する正極端子２１、負極端子２２、電池温度検出端子２３が搭載されてるとともに、充電終了や当該充電器１若しくは電池パック２４の異常等をユーザーに音で知らせるブザー２９が搭載されている。
【０００４】
次に、充電動作について説明する。
【０００５】
充電器１の電池装着部５に電池パック２４を差し込むと、該電池パック２４の正極端子２５、負極端子２６、電池温度検出端子２７が充電器１の正極端子２１、負極端子２２、電池温度検出端子２３にそれぞれ接触して充電が開始する。充電電流が流れると、電流検出部１８で検出した電流信号をマイコン１７が取り込み、マイコン１７は、充電電流制御回路１９に対して信号を出力して半導体２０のＯＮ時間とＯＦＦ時間を制御して充電電流を一定に保ちながら充電する。
【０００６】
又、充電中、マイコン１７は、電池電圧と電池セル温度検出素子２８からの信号により電池セル温度を常に監視し、満充電となって電池電圧若しくは電池温度が所定の値に達したとき、充電を停止するとともに、ブザー２９に「ピー」という６秒程度の連続音を鳴らす命令を出して充電終了をユーザーに知らせる。
【０００７】
更に、充電器１若しくは電池パック２４が故障したときや充電器１若しくは電池パック２４の端子に塵が付着して接触不良になったときには、マイコン１７がブザー２９に「ピッピッピッ」という警告音を鳴らす命令を出してユーザーに異常を知らせる。
【０００８】
【特許文献１】特開平９−２８５０２３号公報
【発明の開示】
【発明が解決しようとする課題】
【０００９】
上記のように従来の充電器においては、充電終了や充電器若しくは電池パックの異常をユーザーに知らせる方法としてブザーを用いているが、ブザーは連続音と断続音の２種類しか出せないために詳細な情報をユーザーに知らせることができない。又、音種は予め製造者が設定したものであるため、同じ作業現場で複数のユーザーが同種のブザーを内蔵した充電器を使用していると、誰の充電器が鳴っているか区別できなかった。
【００１０】
又、同じ作業現場で複数のユーザーが同じ充電器を持っていると他人のものと区別が付かなくなり、間違って持って帰ったり、盗難に遭う可能性があった。
【００１１】
本発明は上記問題に鑑みてなされたもので、その目的とする処は、充電完了や故障等の充電に関する情報をユーザーに正確且つ詳細に伝えるとともに、間違いや盗難を確実に防ぐことができる発声機能付充電器を提供することにある。
【課題を解決するための手段】
【００１２】
上記目的を達成するため、請求項１記載の発明は、着脱可能な電池パックを装着するための電池装着部を外枠に設け、前記電池パックに設けられた正極、負極の各端子とそれぞれ接触する正極端子、負極端子が電気的に接続され、充電電流を一定に保ったり、満充電を検出して充電を停止する等の充電制御を行う充電制御回路を搭載した基板組立を前記外枠に収納して成る充電器において、予め製造者が登録した所定の音声信号を充電停止時等の所定の時期に出力する発声機能回路を前記充電制御回路に付加するとともに、該発声機能回路から音声信号を出力するスピーカー等の音声出力器を前記外枠に取り付けたことを特徴とする。
【００１３】
請求項２記載の発明は、請求項１記載の発明において、マイク等の音声を取り込む音声取込器を前記外枠に取り付け、ユーザーが好みの音声を該音声取込器から録音して任意の時期に出力することができる機能を前記発声機能回路に付加したことを特徴とする。
【００１４】
請求項３記載の発明は、請求項２記載の発明において、前記発声機能回路にタイマー等の時間設定器を設け、ユーザーが音声出力時期を任意に時間設定できるようにしたことを特徴とする。
【００１５】
請求項４記載の発明は、請求項１記載の発明において、前記発声機能回路から出力される音声信号を任意の音量に調整するための音量調節器を設けたことを特徴とする。
【発明の効果】
【００１６】
本発明によれば、ユーザーが音声を録音して任意の時期に再生できる機能を充電制御回路に付加したため、ユーザーは充電完了や充電器故障等の充電に関する情報を音声により正確且つ詳細に知ることができる。そして、ユーザーが予め時間と音声を設定しておけば、所定の時間に音声情報の提供を受けることができる。
【００１７】
又、作業現場で複数のユーザーが同じ充電器を使用していても、任意に設定した録音音声により充電器を区別することができ、自分の充電器の充電に関する情報を正確に知ることができる。
【００１８】
更に、ユーザーの名前を録音しておけば、他人の充電器と間違えることがなくなり、盗難防止にもなる。
【発明を実施するための最良の形態】
【００１９】
以下に本発明の実施の形態を図１〜図３に基づいて説明する。
【００２０】
図１は本発明に係る発声機能付充電器の上面図、図２は同発声機能付充電器の側断面図、図３は同発声機能付充電器の回路構成図である。
【００２１】
先ず、本発明に係る発声機能付充電器（以下、単に「充電器」と称する）１の構成について説明する。
【００２２】
充電器１は、大きくは基板組立２と該基板組立２を収納する上外枠３及び下外枠４で構成されている。上外枠３には、電池パック２４を装着する電池装着部５が設けられるとともに、音声を取り込むマイク等の音声取込器６、該音声取込器６から入ってくる音声を録音指示する録音スイッチ１１、時間等を表示する液晶等の表示盤９、該表示盤９に表示される時間を合わせる時間合わせスイッチ１０、録音音声を出力する時期を設定する選択スイッチ１２と決定スイッチ１３及びタイマー設定スイッチ１４、登録されたユーザー名を出力するユーザー確認スイッチ１５、出力音声の音量を調節する音量調整ボリューム１６及びスピーカー等の音声出力器７がそれぞれ取り付けられている。
【００２３】
又、基板組立２には、音声を録音し所定の時期に出力する発声機能回路８、各制御を行うマイコン１７、充電電流を検出する電流検出部１８、充電電流を一定に保つ充電電流制御回路１９とＦＥＴ等の半導体２０及び正極端子２１、負極端子２２、電池温度検出端子２３が搭載されている。
【００２４】
次に、充電器１の動作について説明する。
【００２５】
先ず、発声機能例について説明する。
【００２６】
ここで、発声機能とは、ユーザーが自分の声を録音して任意の時期に出力することができる機能であり、充電に関する情報の他、ユーザーが登録した各種情報を再生する機能である。又、ユーザーが自分の名前を録音し、確認できる機能も有している。
【００２７】
次に、設定方法について説明する。
【００２８】
充電器１の電源を入れた状態で録音スイッチ１１をＯＮにすると、マイコン１７が発声機能回路８に対して録音命令を出し、録音スイッチ１１をＯＮにしている間、音声取込器６から入る音声を発声機能回路８に録音する。
【００２９】
次に、録音スイッチ１１をＯＦＦにすると録音が完了して表示盤９に出力時期が表示され、表示された出力時期から任意のものを選択することができる。最初に「充電前」が表示され、選択スイッチ１２を順次押していくと「充電終了」⇒「充電器（電池パック）異常時」⇒「タイマー設定」⇒「初期設定」⇒「名前登録」と表示が切り替り、希望する時期を決定スイッチ１３を押して選択する。
【００３０】
又、上記タイマー設定において、表示盤９は時計及びタイマー機能を有しており、タイマー設定も可能である。例えば、昼間００：００に「０時です。昼食にしましょう。」を設定する場合は、
１．録音スイッチ１１を押したまま「０時です。昼食にしましょう。」を音声取込器６に向かって録音する。
【００３１】
２．選択スイッチ１２を３回押して「タイマー設定」を表示する。
【００３２】
３．タイマー設定スイッチ１４を押してＰＭ００：００に設定する。
【００３３】
４．決定スイッチ１３を押す。
の手順で設定することができる。尚、上記で選択スイッチ１２を４回押すと初期設定となるが、これは製造者が予め設定したものを選択する場合である。例えば、製造者の初期設定として、コンセントを電源に差し込んだときは「電気が入りました」、充電が終了した時は「充電が終わりました。」等で、特にユーザーが任意に設定する必要がないときに使用することができる。
【００３４】
又、ユーザーの名前を登録する場合は、録音スイッチ１１を押しながら音声取込器６に向かって名前を録音し、次に選択スイッチ１２を順次押して「名前登録」に切り替えて決定スイッチ１３を押して登録する。又、ユーザー名を出力するときには、ユーザー確認スイッチ１５を押すとマイコン１７から発声機能回路８に命令が出力され、ユーザー名が出力されて持ち主を確認することができる。
【００３５】
尚、一度設定された内容は再設定するまで発声機能回路８に保存されるため、電源を入れる度に設定する必要はない。
【００３６】
次に、実際、発声機能を使って充電する例について説明する。
【００３７】
先ず、上記手順に従い下記内容を設定する。又、音量は音量調整ボリューム１６を回して適度な大きさに調節する。尚、音量調整ボリューム１６を時計回りに回すと音量が大きくなり、反時計回りに回すと音量が小さくなる。
（設定内容）：
１．コンセントを差し込んだとき：「電気が入りました。」
２．充電終了時：「充電が終わりました。」
３．昼００：００：「０時になりました。昼食です。」
４．夕方５：００：「５時になりました。今日の仕事は終わりです。」
５．ユーザー名登録：鈴木武雄
先ず、電源プラグをコンセントに差し込むと「電気が入りました。」という音声が音声出力器７から出力される。次に、電池パック２４を充電器１の電池装着部５に差し込むと充電が開始されて充電電流が流れる。充電が進んで満充電となり充電が終了すると、「充電が終わりました。」という音声が音声出力器７から出力される。
【００３８】
又、昼００：００になると「０時になりました。昼食です。」という音声が音声出力器７から出力されて昼時をユーザーに知らせる。又、夕方５：００になると「５時になりました。今日の仕事は終わりです。」という音声が音声出力器７から出力されて就業時間の終了をユーザーに知らせる。
【００３９】
又、帰り際、仕事仲間も同じ充電器を持っており、誰のものか分からなくなったため、該ユーザー確認スイッチ１５を押して持ち主を確認すると、「鈴木武雄」と出力されるため、これによって自分の充電器であることを確認することができる。
【図面の簡単な説明】
【００４０】
【図１】本発明に係る発生機能付充電器の上面図である。
【図２】本発明に係る発生機能付充電器の側断面図である。
【図３】本発明に係る発生機能付充電器の回路構成図である。
【図４】従来の充電器の上面図である。
【図５】従来の充電器の側断面図である。
【図６】従来の充電器の回路構成図である。
【符号の説明】
【００４１】
１      充電器
２      基板組立
３      上外枠
４      下外枠
５      電池装着部
６      音声取込器
７      音声出力器
８      発声機能回路
９      表示盤
１０    時間合わせスイッチ
１１    録音スイッチ
１２    選択スイッチ
１３    決定スイッチ
１４    タイマー設定スイッチ
１５    ユーザー確認スイッチ
１６    音量調整ボリューム
１７    マイコン
１８    電流検出器
１９    充電電流制御回路
２０    半導体
２１    正極端子
２２    負極端子
２３    電池温度検出端子
２４    電池パック
２５    正極端子
２６    負極端子
２７    電池温度検出端子
２８    電池セル温度検出素子
２９    ブザー
【図１】
2006149006.tif 000003
【図２】
2006149006.tif 000004
【図３】
2006149006.tif 000005
【図４】
2006149006.tif 000006
【図５】
2006149006.tif 000007
【図６】
2006149006.tif 000008